(57)【要約】【課題】接続される環境の変化に適応させることを目的としている。【解決手段】所定電圧が印加されて発光する発光ダイオードアレイと、前記発光ダイオードアレイを駆動する駆動回路と、を有する照明灯であって、前記駆動回路は、前記発光ダイオードアレイを発光させるときの点灯条件が格納された不揮発記憶部と、前記照明灯が、所定の条件を満たすか否かの判定結果に応じて、前記不揮発記憶部に格納された点灯条件を用いて前記発光ダイオードアレイを発光させる処理、又は、前記発光ダイオードアレイの点灯条件を決定する処理を行う制御部と、を有する。【選択図】図６
2018147633.tif 000002
【特許請求の範囲】
【請求項１】
所定電圧が印加されて発光する発光ダイオードアレイと、
前記発光ダイオードアレイを駆動する駆動回路と、を有する照明灯であって、
前記駆動回路は、
前記発光ダイオードアレイを発光させるときの点灯条件が格納された不揮発記憶部と、
前記照明灯が、所定の条件を満たすか否かの判定結果に応じて、前記不揮発記憶部に格納された点灯条件を用いて前記発光ダイオードアレイを発光させる処理、又は、前記発光ダイオードアレイの点灯条件を決定する処理を行う制御部と、を有する照明灯。
【請求項２】
前記駆動回路は、
入力電圧を前記所定電圧に変換して前記発光ダイオードアレイに供給する電圧変換部を有し、
前記制御部は、
前記所定電圧を生成するためのパルス信号を前記電圧変換部に供給するＰＷＭ制御部と、
前記発光ダイオードアレイに流れる電流が目標電流となったときの前記パルス信号のデューティ比を、前記点灯条件として、前記不揮発記憶部に格納する点灯条件格納部と、を有する、請求項１に記載の照明灯。
【請求項３】
前記所定の条件は、
前記照明灯に対する定電流制御が不可能であることであり、
前記制御部は、
前記照明灯に対する定電流制御が不可能である場合に、前記不揮発記憶部に格納された前記点灯条件を用いて前記発光ダイオードアレイを発光させる処理を行い、
前記照明灯に対する定電流制御が可能である場合に、前記発光ダイオードアレイの点灯条件を決定する処理を行う、請求項２記載の照明灯。
【請求項４】
前記制御部は、
前記発光ダイオードアレイに所定範囲内の電流が供給されたとき、前記発光ダイオードアレイが発光しない場合に、前記定電流制御が不可能であると判定する定電流制御判定部を有する請求項３記載の照明灯。
【請求項５】
前記所定の条件は、
前記照明灯が接続されたインバータ式安定器が前回の電源投入時と一致すると判定されることであり、
前記制御部は、
前記照明灯が接続されたインバータ式安定器が前回の電源投入時と一致すると判定されたとき、前記不揮発記憶部に格納された前記点灯条件を用いて前記発光ダイオードアレイを発光させる処理を行い、
前記照明灯が接続されたインバータ式安定器が前回の電源投入時と異なると判定されたとき、前記発光ダイオードアレイの点灯条件を決定する処理を行う、請求項２記載の照明灯。
【請求項６】
前記不揮発記憶部において、
前記発光ダイオードアレイに流れる電流と、前記電圧変換部の入力電圧と、が、前記点灯条件と対応付けられて格納されており、
前記制御部は、
前記発光ダイオードアレイに流れる電流を検出する電流検出部を有し、
前記不揮発記憶部に格納された点灯条件で前記発光ダイオードアレイを発光させたときに、前記電流検出部により検出された検出電流と、前記不揮発記憶部に格納された前記電流との差分が、所定の電流閾値より大きい場合に、前記照明灯が接続されたインバータ式安定器が前回の電源投入時と異なると判定する、差分判定部を有する、請求項５記載の照明灯。
【請求項７】
前記制御部は、
前記電圧変換部に入力される電圧を検出する電圧検出部と、を有し、
前記電圧検出部により検出された検出電圧と、前記不揮発記憶部に格納された前記入力電圧との差分が所定の電圧閾値より大きい場合に、前記照明灯が接続されたインバータ式安定器が前回の電源投入時と異なると判定する、差分判定部を有する請求項５又は６記載の照明灯。
【請求項８】
前記ＰＷＭ制御部は、
前記発光ダイオードアレイの点灯条件を決定する場合に、前記電圧変換部に供給する前記パルス信号のデューティ比の変化と、
前記不揮発記憶部に格納された点灯条件を用いて前記発光ダイオードアレイを発光させる場合に、前記電圧変換部に供給する前記パルス信号のデューティ比の変化と、を同期させる、請求項２乃至７の何れか一項に記載の照明灯。
【請求項９】
照明灯に設けられ、所定電圧が印加されて発光する発光ダイオードアレイを駆動する駆動回路であって、
前記駆動回路は、
前記発光ダイオードアレイの発光させるときの点灯条件が格納された不揮発記憶部と、
前記照明灯が、所定の条件を満たすか否かの判定結果に応じて、前記不揮発記憶部に格納された点灯条件を用いて前記発光ダイオードアレイを発光させるか、又は、前記発光ダイオードアレイの点灯条件を決定する制御部と、を有する駆動回路。
【請求項１０】
照明灯に設けられ、所定電圧が印加されて発光する発光ダイオードアレイを駆動する駆動回路による駆動方法であって、
前記駆動回路が、
前記照明灯が、所定の条件を満たすか否かを判定し、
判定結果に応じて、前記発光ダイオードアレイを発光させるときの点灯条件が格納された不揮発記憶部に格納された点灯条件を用いて前記発光ダイオードアレイを発光させる工程、又は、前記発光ダイオードアレイの点灯条件を決定する工程を行う、駆動方法。
【請求項１１】
照明灯に設けられ、所定電圧が印加されて発光する発光ダイオードアレイを駆動するコンピュータによるプログラムであって、前記コンピュータに、
前記照明灯が、所定の条件を満たすか否かを判定する処理と、
判定結果に応じて、前記発光ダイオードアレイを発光させるときの点灯条件が格納された不揮発記憶部に格納された点灯条件を用いて前記発光ダイオードアレイを発光させる処理、又は、前記発光ダイオードアレイの点灯条件を決定する処理を実行させる、プログラム。
【発明の詳細な説明】
【技術分野】
【０００１】
本発明は、照明灯、駆動回路、駆動方法及びプログラムに関する。
【背景技術】
【０００２】
近年では、蛍光灯を点灯させるインバータ式安定器（広義には、灯具）に接続することで、点灯／消灯を行うＬＥＤ（Light  Emitting  Diode）照明灯が知られている（特許文献１）。このＬＥＤ照明灯では、ＬＥＤを効率良く発光させるために様々な回路が用いられている（特許文献２）。
【発明の概要】
【発明が解決しようとする課題】
【０００３】
ところで、インバータ式安定器は、様々なメーカが独自の方式を適用している。このため、あるインバータ式安定器に接続された状態では点灯していたＬＥＤ照明灯が、他のインバータ式安定器に接続されると点灯しない、といった状況が生じる可能性がある。
【０００４】
開示の技術は、上記事情に鑑みてこれを解決すべくなされたものあり、接続される環境の変化に適応させることを目的としている。
【課題を解決するための手段】
【０００５】
開示の技術は、所定電圧が印加されて発光する発光ダイオードアレイと、前記発光ダイオードアレイを駆動する駆動回路と、を有する照明灯であって、前記駆動回路は、前記発光ダイオードアレイを発光させるときの点灯条件が格納された不揮発記憶部と、前記照明灯が、所定の条件を満たすか否かの判定結果に応じて、前記不揮発記憶部に格納された点灯条件を用いて前記発光ダイオードアレイを発光させる処理、又は、前記発光ダイオードアレイの点灯条件を決定する処理を行う制御部と、を有する。
【発明の効果】
【０００６】
接続される環境の変化に適応させることができる。
【図面の簡単な説明】
【０００７】
【図１】第一の実施形態の照明システムの斜視図である。
【図２】第一の実施形態及び照明灯の構成を示す図である。
【図３】第一の実施形態の駆動回路を説明する図である。
【図４】第一の実施形態に係る制御装置のハードウェア構成を示す図である。
【図５】第一の実施形態の制御装置の機能を説明する図である。
【図６】第一の実施形態の点灯制御処理部の動作を説明するフローチャートである。
【図７】第二の実施形態の制御装置の機能を説明する図である。
【図８】第二の実施形態の点灯制御処理部の動作を説明するフローチャートである。
【図９】インバータ式安定器に複数の照明灯が接続された状態を説明する図である。
【図１０】第三の実施形態の制御装置の機能を説明する図である。
【図１１】第三の実施形態の点灯制御処理部の動作を説明するフローチャートである。
【発明を実施するための形態】
【０００８】
（第一の実施形態）
以下に図面を参照して、第一の実施形態について説明する。図１は、第一の実施形態の照明システムの斜視図である。照明システム１０は、灯具１００と、照明灯２００とを備える。
【０００９】
灯具１００には、照明灯２００が着脱される。照明灯２００は、灯具１００に取り付けられた状態で使用される。
【００１０】
灯具１００は、天井等に取り付けられ、商用交流電圧の供給を受ける。商用交流電圧は、電力会社等から家庭等に供給される電力であり、例えば、実効電圧が１００Ｖまたは２００Ｖ、周波数が５０Ｈｚまたは６０Ｈｚである。尚、商用交流電圧は、他の電圧および周波数の交流信号であってもよい。
【００１１】
照明灯２００は、例えば、長尺状である。照明灯２００は、リング状であってもよい。照明システム１０は、灯具１００に照明灯２００が取り付けられている状態で、スイッチ（電源）がオンとされると、商用交流電圧を駆動源として照明灯２００が発光する。
【００１２】
図２は、第一の実施形態及び照明灯の構成を示す図である。灯具１００は、インバータ式安定器１１０を有する。インバータ式安定器１１０は、電子式安定器とも呼ばれる。インバータ式安定器１１０は、商用交流電圧を、商用交流電圧の周波数よりも高い高周波電圧に変換する。例えば、インバータ式安定器１１０は、５０Ｈｚまたは６０Ｈｚの商用交流電圧を、数１０ｋＨｚの高周波電圧に変換する。尚、インバータ式安定器１１０は、どのような方式で電圧変換をしてもよい。
【００１３】
照明灯２００は、発光ダイオードアレイ２１０と、駆動回路２２０とを有する。発光ダイオードアレイ２１０は、例えば、複数の発光ダイオードが直列に接続されている。発光ダイオードアレイ２１０は、直列に接続された発光ダイオードの組を複数個並列に含んでいてもよい。
【００１４】
本実施形態の発光ダイオードアレイ２１０は、直流の所定電圧が印加されることにより発光する。発光ダイオードアレイ２１０に印加される所定電圧は、発光ダイオードの順方向電圧の合計値であり、一定となる。照明灯２００は、発光ダイオードアレイ２１０に流れる電流の大きさ（ダイオード電流Ｉｄ）により発光量が変化する。
【００１５】
本実施形態の駆動回路２２０は、インバータ式安定器１１０から高周波電圧を受け取り、直流電圧に変換する。駆動回路２２０は、変換した直流電圧を発光ダイオードアレイ２１０に印加する。駆動回路２２０は、通常動作時では、キャリブレーションにおいて設定されたパラメータで動作することにより、発光ダイオードアレイ２１０に適切なダイオード電流Ｉｄを流す。適切なダイオード電流Ｉｄとは、予め設定された目標電流である。
【００１６】
駆動回路２２０は、例えば、照明灯２００が灯具１００に取り付けられて最初に電源が投入されると、キャリブレーションを実行する。また、駆動回路２２０は、照明灯２００が灯具１００に取り付けられてから所定期間毎に、キャリブレーションを実行してもよい。キャリブレーションにおいて、駆動回路２２０は、より省電力であり、且つ、適切な明るさで発光するダイオード電流Ｉｄが発光ダイオードアレイ２１０に流れるように、パラメータの設定処理を行う。
【００１７】
図３は、第一の実施形態の駆動回路を説明する図である。本実施形態の駆動回路２２０は、整流平滑化部２３０と、電圧変換部２４０と、不揮発記憶部２５０と、制御装置２６０と、内部電源２７０と、分圧抵抗２２１、２２２と、電流検出抵抗２２３と、を備える。
【００１８】
整流平滑化部２３０は、ダイオードにより構成された全波整流回路２３１と、キャパシタ２３２と、を含む。全波整流回路２３１は、高周波電圧を全波整流する。キャパシタ２３２は、グランドと、整流平滑化部２３０の出力端子Ｔ２３０との間に設けられる。キャパシタ３２３は、全波整流された高周波電圧を平滑化し、出力端子Ｔ２３０に平滑電圧ＶＡを出力する。
【００１９】
本実施形態の分圧抵抗２２１及び分圧抵抗２２２は、整流平滑化部２３０の出力端子Ｔ２３０とグランドとの間に直列に接続され、平滑電圧ＶＡを分圧する。
【００２０】
本実施形態の電圧変換部２４０は、制御装置２６０から与えられるパルス信号に応じて平滑電圧ＶＡをスイッチング及び平滑化し、平滑電圧ＶＡを直流電圧変換して所定電圧を発生させる。そして、電圧変換部２４０は、発生した所定電圧を発光ダイオードアレイ２１０に印加する。すなわち、本実施形態の電圧変換部２４０は、ＤＣ−ＤＣコンバータである。尚、本実施形態の電圧変換部２４０は、例えば、インダクタを用いた昇圧型のコンバータであっても良い。また、パルス信号は、制御装置２６０によりＰＷＭ（Pulse Width Modulation）制御がされた２値の信号である。
【００２１】
本実施形態の電圧変換部２４０は、インダクタ２４１と、スイッチング素子２４２と、ダイオード２４３と、キャパシタ２４４とを含む。
【００２２】
インダクタ２４１は、一端２４１ａに、整流平滑化部２３０の出力端子Ｔ２３０が接続され、平滑電圧ＶＡが印加される。また、インダクタ２４１は、他端２４１ｂに、ダイオード２４３のアノードが接続される。
【００２３】
スイッチング素子２４２は、パルス信号に応じて、インダクタ２４１の他端２４１ｂ（ダイオード２４３のアノード側）と、グランドとの間のオン（接続）またはオフ（切断）を制御する。本実施形態のスイッチング素子２４２は、電界効果トランジスタ（ＦＥＴ）により構成されても良いし、バイポーラトランジスタにより構成されても良い。
【００２４】
ダイオード２４３は、カソードが、電圧変換部２４０の出力端子Ｔ２４０に接続される。キャパシタ２４４は、グランドと、電圧変換部２４０の出力端子Ｔ２４０との間に設けられる。ダイオード２４３は、インダクタ２４１の他端２４１ｂからキャパシタ２４４又は出力端子Ｔ２４０へ電流を流し、逆方向への電流は流さない。キャパシタ２４４は、ダイオード２４３の順方向に流れた電流を蓄積して、出力端子Ｔ２４０の電圧を維持する。
【００２５】
インダクタ２４１は、スイッチング素子２４２がオンした場合（パルス信号がオン）、整流平滑化部２３０から流れ込む電流によりエネルギを蓄える。そして、インダクタ２４１は、スイッチング素子２４２がオフした場合（パルス信号がオフ）、蓄えたエネルギを、ダイオード２４３を介して出力端子Ｔ２４０から外部（およびキャパシタ２４４）に放出する。従って、電圧変換部２４０は、キャパシタ２４４にエネルギを上積みして、電圧を昇圧させることができる。電圧変換部２４０から出力される電圧は、発光ダイオードアレイ２１０に印加される。
【００２６】
本実施形態の発光ダイオードアレイ２１０は、電圧変換部２４０の出力端子Ｔ２４０と、グランドとの間に配置される。これにより、発光ダイオードアレイ２１０は、電圧変換部２４０から出力された所定電圧が印加される。
【００２７】
本実施形態の電流検出抵抗２２３は、発光ダイオードアレイ２１０の電流流出端子Ｔ２１０とグランドとの間に挿入される。
【００２８】
不揮発記憶部２５０は、電力供給が無くなっても記憶している情報を保持し続けるメモリである。例えば、不揮発記憶部２５０は、フラッシュメモリである。不揮発記憶部２５０は、制御装置２６０による情報の書き込み及び読み出しが行われる。不揮発記憶部２５０は、通常動作時におけるパルス信号のデューティ比の目標値を、照明灯２００の点灯条件として記憶する。尚、照明灯２００の点灯条件とは、言い換えれば、発光ダイオードアレイ２１０を発光させる際の条件であり、発光ダイオードアレイ２１０の発光条件と言える。
【００２９】
本実施形態の制御装置２６０は、通常動作時において、不揮発記憶部２５０から目標値を読み出し、デューティ比が目標値であるパルス信号を電圧変換部２４０に与える。
【００３０】
また、本実施形態の制御装置２６０は、不揮発記憶部２５０に目標値が記憶されていない場合には、キャリブレーションを行って、目標値を決定する。
【００３１】
本実施形態のキャリブレーションとは、電圧変換部２４０に供給するパルス信号のデューティ比を徐々に変化させ、ダイオード電流Ｉｄが目標電流となったときのデューティ比を検出し、検出したデューティ比を目標値として不揮発記憶部２５０に書き込むことである。尚、このとき、目標電流は、不揮発記憶部２５０に格納されていても良い。また、制御装置２６０は、平滑電圧ＶＡを不揮発記憶部２５０に格納しても良い。
【００３２】
また、本実施形態の制御装置２６０は、分圧抵抗２２１と分圧抵抗２２２との間の接続点Ａの電圧を検出し、接続点Ａの電圧と、分圧抵抗２２１と分圧抵抗２２２との分圧比に基づき、平滑電圧ＶＡを算出する。
【００３３】
また、本実施形態の制御装置２６０は、発光ダイオードアレイ２１０と電流検出抵抗２２３との間の接続点Ｂの電圧を検出し、接続点Ｂの電圧と、電流検出抵抗２２３の抵抗値に基づき、ダイオード電流Ｉｄを算出する。
【００３４】
本実施形態の内部電源２７０は、平滑電圧ＶＡに基づき、安定化した直流電圧を発生させる。内部電源２７０は、発生した直流電圧を不揮発記憶部２５０及び制御装置２６０に供給する。不揮発記憶部２５０及び制御装置２６０は、内部電源２７０から与えられた直流電圧を駆動源として動作する。
【００３５】
本実施形態の内部電源２７０は、例えば、シリーズレギュレータである。従って、内部電源２７０は、ノイズの少ない安定した直流電圧を発生することができる。
【００３６】
本実施形態の内部電源２７０は、バイポーラトランジスタ２７１と、定電圧ダイオード２７２と、抵抗２７３とを含む。
【００３７】
バイポーラトランジスタ２７１は、コレクタに整流平滑化部２３０の出力端子Ｔ２３０が接続され、エミッタに、内部電源２７０の出力端子Ｔ２７０が接続され、ベースに定電圧ダイオード２７２のカソードが接続される。
【００３８】
定電圧ダイオード２７２は、アノードがグランドに接続される。抵抗２７３は、バイポーラトランジスタ２７１のベースとコレクタとの間に接続される。内部電源２７０は、以上の構成により、出力端子Ｔ２７０に、定電圧ダイオード２７２の逆方向電圧と、バイポーラトランジスタ２７１のエミッタ電圧を加算した電圧を発生させる。
【００３９】
ところで、本実施形態の発光ダイオードアレイ２１０は、順方向に直列に接続された複数の発光ダイオードを含む。よって、本実施形態では、発光ダイオードアレイ２１０は、電流が供給されている場合には、固定の直流電圧を発生させる。このため、電圧変換部２４０は、固定の直流電圧（所定電圧ＶＢ）を出力するように動作する。
【００４０】
具体的には、本実施形態の電圧変換部２４０では、例えば、パルス信号のオフデューティを大きくした場合、出力電流を大きくするように動作する。パルス信号のオフデューティとは、パルス信号の１周期に対する、スイッチング素子２４２をオフ（切断）する期間の割合である。
【００４１】
また、電圧変換部２４０は、パルス信号のオフデューティを小さくした場合、出力電流を小さくするように動作する。
【００４２】
従って、発光ダイオードアレイ２１０に流れるダイオード電流Ｉｄを大きくする場合（明るくする場合）には、制御装置２６０は、パルス信号のオフデューティを大きくすればよい。反対に、発光ダイオードアレイ２１０に流れるダイオード電流Ｉｄを小さくする場合（暗くする）には、制御装置２６０は、パルス信号のオフデューティを小さくすればよい。
【００４３】
以下に、本実施形態の制御装置２６０について、さらに説明する。図４は、第一の実施形態に係る制御装置のハードウェア構成を示す図である。
【００４４】
本実施形態の制御装置２６０は、ＡＤ変換機能を備えた通常のプロセッシング回路と同様の構成をしている。すなわち、本実施形態の制御装置２６０は、ＣＰＵ（Central  Processing  Unit）２６１と、ＲＯＭ（Read  Only  Memory）２６２と、ＲＡＭ（Random  Access  Memory）２６３と、ＡＤ変換器２６４と、インターフェイス部２６５とを備える。そして、本実施形態の制御装置２６０において、これらの各部は、バスにより接続される。
【００４５】
ＣＰＵ２６１は、ＲＯＭ２６２に記憶されたプログラムをＲＡＭ２６３に展開して実行し、プログラムに従って処理（各部の制御およびデータの加工等）をするプロセッサである。ＣＰＵ２６１は、ＲＡＭ２６３の所定領域を作業領域として、ＲＯＭ２６２に記憶されたプログラムとの協働により各種処理を実行する。
【００４６】
ＲＯＭ２６２は、プログラムおよび各種情報を書き換え不可能に記憶するメモリである。
ＲＡＭ２６３は、ＤＲＡＭ（Dynamic  Random  Access  Memory）等のメモリである。ＲＡ
Ｍ２６３は、ＣＰＵ２６１による処理対象のデータ等を記憶し、ＣＰＵ２６１の作業領域として機能する。
【００４７】
ＡＤ変換器２６４は、プログラムを実行するＣＰＵ２６１による制御に応じて電圧をデジタル値に変換する。本実施形態においては、ＡＤ変換器２６４は、ＣＰＵ２６１による制御に応じて、図３に示す接続点Ａおよび接続点Ｂの電圧をデジタル値に変換する。
【００４８】
インターフェイス部２６５は、プログラムを実行するＣＰＵ２６１による制御に応じて、外部の装置から信号を受け取ったり、外部の装置へと信号を与えたりする。本実施形態において、インターフェイス部２６５は、ＣＰＵ２６１による制御に応じて、パルス信号を電圧変換部２４０に供給する。また、インターフェイス部２６５は、ＣＰＵ２６１による制御に応じて、不揮発記憶部２５０にアクセスして情報を書き込んだり、情報を読み出したりする。このような本実施形態の制御装置２６０で実行されるプログラムは、ＲＯＭ２６２に予め組み込むことで提供される。また、後述する本実施形態の点灯制御プログラムは、制御装置２６０で実行されるプログラムの一部である。
【００４９】
次に、図５を参照して、本実施形態の制御装置２６０の機能について説明する。図５は、第一の実施形態の制御装置の機能を説明する図である。
【００５０】
本実施形態の制御装置２６０は、点灯制御処理部２８０を有する。本実施形態の点灯制御処理部２８０は、ＣＰＵ２６１がＲＯＭ２６２から点灯制御プログラムを読み込んで実行することで実現される。
【００５１】
本実施形態の点灯制御処理部２８０は、読出部２８１、キャリブレーション判定部２８２、ＰＷＭ制御部２８３、点灯条件格納部２８４、定電流制御判定部２８５、電流検出部２８６、電圧検出部２８７を有する。
【００５２】
本実施形態の読出部２８１は、不揮発記憶部２５０に格納されているキャリブレーション情報２５１を読み出す。
【００５３】
キャリブレーション情報２５１は、過去に照明灯２００に対して実施されたキャリブレーションの結果を示す点灯条件を含む情報である。本実施形態の点灯条件は、電圧変換部２４０に供給されるパルス信号のデューティ比の目標値である。
【００５４】
尚、キャリブレーション情報２５１には、例えば、電流リップルの発生によるチラツキが発生するような場合の点灯条件や、発光ダイオードアレイ２１０へ供給される電流が目標値に達しない場合の点灯条件等、様々な場合における点灯条件等が含まれても良い。
【００５５】
実施形態では、キャリブレーション情報２５１が不揮発記憶部２５０に格納されていることは、過去に照明灯２００に対するキャリブレーションが実施されたことを示す。
【００５６】
キャリブレーション判定部２８２は、読出部２８１によりキャリブレーション情報２５１が読み出されたか否かに基づき、照明灯２００に対するキャリブレーションが実施済みであるか否かを判定する。
【００５７】
具体的には、キャリブレーション判定部２８２は、読出部２８１がキャリブレーション情報２５１を読み出した場合、照明灯２００に対するキャリブレーションは実施済みと判定する。また、キャリブレーション判定部２８２は、読出部２８１がキャリブレーション情報２５１を読み出さない場合、つまり、不揮発記憶部２５０にキャリブレーション情報２５１が格納されていない場合、照明灯２００に対するキャリブレーションは未実施と判定する。
【００５８】
本実施形態のＰＷＭ制御部２８３は、キャリブレーション判定部２８２により、照明灯２００に対するキャリブレーションが未実施と判定された場合に、照明灯２００に対するキャリブレーションを実施する。具体的には、ＰＷＭ制御部２８３は、スイッチング素子２４２に供給するパルス信号のデューティ比を変化させ、適切な明るさの範囲で発光ダイオードアレイ２１０を発光させるパルス信号のデューティ比を検出する。
【００５９】
また、本実施形態のＰＷＭ制御部２８３は、電流検出部２８６により検出されたダイオード電流Ｉｄに基づき、パルス信号のデューティ比を調整することで、電圧変換部２４０の出力電圧ＶＢが一定となるように制御する。
【００６０】
本実施形態の点灯条件格納部２８４は、ＰＷＭ制御部２８３により実施されたキャリブレーションにおいて検出されたパルス信号のデューティ比を、点灯条件（目標値）として不揮発記憶部２５０に格納する。ここで、不揮発記憶部２５０に格納される点灯条件は、デューティ比の目標値となる。
【００６１】
また、本実施形態では、点灯条件として、デューティ比の目標値が不揮発記憶部２５０に格納されるものとしたが、これに限定されない。点灯条件には、デューティ比の目標値以外にも、例えば、電圧値や電流値の目標値が点灯条件に含まれても良い。
【００６２】
本実施形態の定電流制御判定部２８５は、照明灯２００に対する定電流制御が可能か否かを判定する。
【００６３】
本実施形態の電流検出部２８６は、接続点Ｂの電圧と、電流検出抵抗２２３とに基づき、ダイオード電流Ｉｄを検出する。また、本実施形態の電圧検出部２８７は、電圧変換部２４０における接続点Ａ、Ｂの電圧を検出する。
【００６４】
電流検出部２８６、電圧検出部２８７により検出されるダイオード電流Ｉｄと接続点Ａ、Ｂの電圧は、ＰＷＭ制御部２８３における制御に用いられる。
【００６５】
次に、図６を参照して、本実施形態の点灯制御処理部２８０の処理について説明する。図６は、第一の実施形態の点灯制御処理部の動作を説明するフローチャートである。
【００６６】
本実施形態の点灯制御処理部２８０は、照明灯２００の電源がオンされると、読出部２８１により、不揮発記憶部２５０からキャリブレーション情報２５１を読み出す（ステップＳ６０１）。
【００６７】
次に、点灯制御処理部２８０は、キャリブレーション判定部２８２により、照明灯２００に対するキャリブレーションが実施済みか否かを判定する（ステップＳ６０２）。言い換えれば、キャリブレーション判定部２８２は、不揮発記憶部２５０に、キャリブレーション情報２５１が格納されていたか否かを判定している。
【００６８】
ステップＳ６０２において、キャリブレーションが実施されていない場合、点灯制御処理部２８０は、後述するステップＳ６０６へ進む。
【００６９】
ステップＳ６０２において、キャリブレーションが実施されていた場合、点灯制御処理部２８０は、定電流制御判定部２８５により、照明灯２００に対する定電流制御が可能か否かを判定する（ステップＳ６０３）。具体的には、定電流制御判定部２８５は、ＰＷＭ制御部２８３により、スイッチング素子２４２に供給するパルス信号のオフデューティを変化させてダイオード電流Ｉｄを変化させ、所定の範囲の電流で発光ダイオードアレイ２１０を発光させることができるか否かを判定する。
【００７０】
ステップＳ６０３において、定電流制御が可能であると判定された場合、点灯制御処理部２８０は、後述するステップＳ６０６へ進む。
【００７１】
ステップＳ６０３において、定電流制御が不可能と判定された場合、ＰＷＭ制御部２８３により、キャリブレーション情報２５１が示す点灯条件で、照明灯２００を点灯させる制御を行う（ステップＳ６０４）。言い換えれば、ＰＷＭ制御部２８３は、デューティ比を、キャリブレーション情報２５１が示す目標値としたパルス信号を生成し、電圧変換部２４０へ供給する。
【００７２】
続いて、点灯制御処理部２８０は、照明灯２００に対する電源オフの指示を受け付けたか否かを判定する（ステップＳ６０５）。ステップＳ６０５において、電源オフの指示を受け付けない場合、点灯制御処理部２８０は、電源オフの指示を受け付けるまで待機する。
【００７３】
ステップＳ６０５において、電源オフの指示を受け付けた場合、点灯制御処理部２８０は、照明灯２００を消灯し、処理を終了する。
【００７４】
また、ステップＳ６０２において、キャリブレーションが実施されていない場合、及び、ステップＳ６０３において、定電流制御が可能である場合、点灯制御処理部２８０は、ステップＳ６０６へ進む。
【００７５】
本実施形態の点灯制御処理部２８０は、ＰＷＭ制御部２８３により、照明灯２００に対するキャリブレーションを実施し、点灯条件を決定する（ステップＳ６０６）。
【００７６】
具体的には、ＰＷＭ制御部２８３は、電圧変換部２４０に供給されるパルス信号のデューティ比を変更し、発光ダイオードアレイ２１０に適切な電流量を供給するパルス信号のデューティ比を検出する。尚、適切な電流量とは、発光ダイオードアレイ２１０の発光量が最も大きくなるときの電流であっても良いし、発光量が予め決められた閾値以上となるときの電流であっても良い。
【００７７】
続いて、点灯制御処理部２８０は、点灯条件格納部２８４により、発光ダイオードアレイ２１０の発光量が適切な量となったときのパルス信号のデューティ比を、目標値（キャリブレーション情報２５１）として不揮発記憶部２５０に格納し（ステップＳ６０７）、ステップＳ６０５へ進む。
【００７８】
このように、本実施形態によれば、照明灯２００が灯具１００と接続されて電源がオンされる度に、照明灯２００の定電流制御が可能か否かを判定する。
【００７９】
そして、本実施形態では、定電流制御が可能であれば、新たにキャリブレーションを実施し、新たな目標値をキャリブレーション情報２５１として不揮発記憶部２５０に格納する。
【００８０】
また、本実施形態では、定電流制御が不可能である場合には、不揮発記憶部２５０に格納されたキャリブレーション情報２５１を用いて照明灯２００を点灯させる。その理由は、定電流制御ができない照明灯２００に対しては、何らかの特殊な制御が要求されるため、過去のキャリブレーション情報２５１を用いて点灯の制御を行うことが必要である。
【００８１】
このように、本実施形態では、照明灯２００に対する通常の定電流制御が可能であった場合には、電源がオンされる度にキャリブレーションが行われる。よって、本実施形態によれば、照明灯２００と接続されるインバータ式安定器１１０が変更された場合でも、最適な条件で照明灯２００を点灯させることができる。また、本実施形態では、照明灯２００に対する定電流制御が不可能であった場合には、過去のキャリブレーション情報２５１を用いて照明灯２００を点灯させる。
【００８２】
言い換えれば、本実施形態では、照明灯２００が、定電流制御が不可能である、という条件を満たす場合に、不揮発記憶部２５０に格納されたキャリブレーション情報２５１を用いて照明灯２００を点灯させる。また、本実施形態では、照明灯２００が、定電流制御が不可能である、という条件を満たさない場合に、キャリブレーションを行って、キャリブレーション情報２５１を決定し、このキャリブレーション情報２５１に基づき照明灯２００を点灯させる。
【００８３】
したがって、照明灯２００に接続されるインバータ式安定器１１０が変更された場合における、照明灯２００の異常点灯を回避することができる。
【００８４】
以上のように、本実施形態によれば、照明灯２００を、接続される環境の変化に適応させることができる。
【００８５】
（第二の実施形態）
以下に図面を参照して、第二の実施形態について説明する。第二の実施形態では、電源がオンされる前に接続されていたインバータ式安定器と、電源がオンされたときに接続されているインバータ式安定器とを比較する点が、第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【００８６】
図７は、第二の実施形態の制御装置の機能を説明する図である。本実施形態の制御装置２６０Ａは、点灯制御処理部２８０Ａを有する。また、本実施形態の制御装置２６０Ａは、不揮発記憶部２５０Ａに対して、情報の読み出しと書き込みを行う。
【００８７】
本実施形態の不揮発記憶部２５０Ａは、キャリブレーション情報２５１と、電流値データ２５２と、電圧値データ２５３と、が格納されている。電流値データ２５２は、照明灯２００に対する前回のキャリブレーションにおいて検出されたダイオード電流Ｉｄの値を示す。電圧値データ２５３は、照明灯２００に対する前回のキャリブレーションにおいて検出された平滑電圧ＶＡの値を示す。
【００８８】
つまり、本実施形態の電流値データ２５２と電圧値データ２５３は、キャリブレーション情報２５１として記憶されたデューティ比によって、照明灯２００を点灯させたときに検出されたダイオード電流Ｉｄと平滑電圧ＶＡである。言い換えれば、電流値データ２５２、電圧値データ２５３は、不揮発記憶部２５０において、キャリブレーション情報２５１と対応付けられたダイオード電流Ｉｄと平滑電圧ＶＡである。
【００８９】
本実施形態の点灯制御処理部２８０Ａは、読出部２８１、キャリブレーション判定部２８２、ＰＷＭ制御部２８３、点灯条件格納部２８４、電流検出部２８６、電圧検出部２８７、差分判定部２８８を有する。
【００９０】
本実施形態の差分判定部２８８は、電流検出部２８６により検出されたダイオード電流Ｉｄと、不揮発記憶部２５０Ａに格納された電流値データ２５２とを比較する。また、差分判定部２８８は、電圧検出部２８７により検出された接続点Ａの電圧（平滑電圧ＶＡ）と、不揮発記憶部２５０Ａに格納された電圧値データ２５３とを比較する。
【００９１】
そして、本実施形態の制御装置２６０Ａは、差分判定部２８８による比較の結果に応じて、照明灯２００に対するキャリブレーションを行う。
【００９２】
以下に、図８を参照して、本実施形態の制御装置２６０Ａの有する点灯制御処理部２８０Ａの動作について説明する。図８は、第二の実施形態の点灯制御処理部の動作を説明するフローチャートである。
【００９３】
図８のステップＳ８０１とステップＳ８０２の処理は、ステップＳ８０２でＮＯである場合に進むステップが、ステップＳ８０９であること以外は、図６のステップＳ６０１とステップＳ６０２の処理と同様であるから、説明を省略する。
【００９４】
ステップＳ８０２において、キャリブレーションが実施済みである場合、点灯制御処理部２８０Ａは、ＰＷＭ制御部２８３により、キャリブレーション情報２５１が示す点灯条件で、照明灯２００を点灯させる制御を行う（ステップＳ８０３）。
【００９５】
続いて、点灯制御処理部２８０Ａは、電流検出部２８６により、ダイオード電流Ｉｄを検出し、電圧検出部２８７により、平滑電圧ＶＡを検出する（ステップＳ８０４）。
【００９６】
続いて、点灯制御処理部２８０Ａは、読出部２８１により、不揮発記憶部２５０Ａから、電流値データ２５２、電圧値データ２５３を読み出す（ステップＳ８０５）。
【００９７】
続いて、点灯制御処理部２８０Ａは、差分判定部２８８により、ダイオード電流Ｉｄと電流値データ２５２とを比較し、その差が電流閾値以下であるか否かを判定する（ステップＳ８０６）。
【００９８】
ステップＳ８０６において、電流閾値以下でない場合、つまり、ダイオード電流Ｉｄと電流値データ２５２の差が電流閾値より大きい場合、点灯制御処理部２８０Ａは、後述するステップＳ８０９へ進む。
【００９９】
ステップＳ８０６において、電流閾値以下である場合、差分判定部２８８は、平滑電圧ＶＡと、電圧値データ２５３とを比較し、その差が電圧閾値以下であるか否かを判定する（ステップＳ８０７）。
【０１００】
尚、電流閾値と電圧閾値は、予め設定された値であり、差分判定部２８８が保持していても良いし、不揮発記憶部２５０Ａに格納されていても良い。電流閾値と電圧閾値が不揮発記憶部２５０Ａに格納されている場合、点灯制御処理部２８０Ａは、読出部２８１により電流閾値と電圧閾値を読み出して、差分判定部２８８による比較を行う。
【０１０１】
ステップＳ８０７において、電圧閾値以下でない場合、つまり、平滑電圧ＶＡと電圧値データ２５３の差が電圧閾値より大きい場合、点灯制御処理部２８０Ａは、後述するステップＳ８０９へ進む。
【０１０２】
ステップＳ８０７において、電圧閾値以下である場合、点灯制御処理部２８０Ａは、通常の点灯制御を行った状態で、照明灯２００に対する電源オフの指示を受け付けたか否かを判定する（ステップＳ８０８）。ステップＳ８０８において、電源オフの指示を受け付けない場合、点灯制御処理部２８０Ａは、電源オフの指示を受け付けるまで待機する。
【０１０３】
ステップＳ８０８において、電源オフの指示を受け付けた場合、点灯制御処理部２８０Ａは、処理を終了する。
【０１０４】
また、ステップＳ８０２において、キャリブレーションが実施されていない場合、点灯制御処理部２８０Ａは、ステップＳ８０９へ進む。
【０１０５】
ステップＳ８０９とステップＳ８１０の処理は、図６のステップＳ６０７とステップＳ６０８と同様であるから、説明を省略する。
【０１０６】
ステップＳ８１０に続いて、点灯制御処理部２８０Ａは、電流検出部２８６によりダイオード電流Ｉｄを検出し、電圧検出部２８７により平滑電圧ＶＡを検出する。そして点灯制御処理部２８０Ａは、ダイオード電流Ｉｄを電流値データ２５２とし、平滑電圧ＶＡを電圧値データ２５３として不揮発記憶部２５０Ａに格納し（ステップＳ８１１）、ステップＳ８０８へ進む。
【０１０７】
このように、本実施形態では、キャリブレーションが実施済みの場合、電源がオンされる前の点灯制御において検出された過去のダイオード電流Ｉｄと平滑電圧ＶＡを記憶しておき、電源がオンされた後に検出したダイオード電流Ｉｄと平滑電圧ＶＡと比較する。
【０１０８】
そして、本実施形態では、過去のダイオード電流Ｉｄと平滑電圧ＶＡと、現在のダイオード電流Ｉｄと平滑電圧ＶＡのそれぞれの差が、予め設定された閾値以下であった場合には、キャリブレーションを実行しないようにする。
【０１０９】
これは、過去のダイオード電流Ｉｄと平滑電圧ＶＡと、現在のダイオード電流Ｉｄと平滑電圧ＶＡのそれぞれの差が殆どないような場合には、照明灯２００が接続されている環境に変化がないと考えられるためである。言い換えれば、このような場合には、前回電源がオンされたときに、照明灯２００と接続されていたインバータ式安定器１１０と、今回電源がオンされたときに照明灯２００と接続されているインバータ式安定器１１０とは、同一のものである、と考えられるためである。
【０１１０】
したがって、本実施形態では、このような場合には、キャリブレーションを実行せず、過去にキャリブレーションにおいて不揮発記憶部２５０Ａに格納されたキャリブレーション情報２５１に従って、照明灯２００の点灯を制御する。
【０１１１】
言い換えれば、本実施形態では、照明灯２００が、前回の電源投入時と異なるインバータ式安定器１１０と接続されていると判定される、という条件を満たす場合に、不揮発記憶部２５０に格納されたキャリブレーション情報２５１を用いて照明灯２００を点灯させる。また、本実施形態では、照明灯２００が、前回の電源投入時と異なるインバータ式安定器１１０と接続されていると判定される、という条件を満たさない場合に、キャリブレーションを行って、キャリブレーション情報２５１を決定し、このキャリブレーション情報２５１に基づき照明灯２００を点灯させる。
【０１１２】
このように、本実施形態によれば、照明灯２００が接続されたインバータ式安定器１１０が前回の電源投入時と異なると判定された場合のみ、キャリブレーションを行うため、照明灯２００が接続される環境の変化に適応させることができる。
【０１１３】
（第三の実施形態）
以下に図面を参照して第三の実施形態について説明する。第三の実施形態では、インバータ式安定器に複数の照明灯２００が接続される場合を考慮した点が、第一の実施形態と相違する。よって、以下の第三の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１１４】
図９は、インバータ式安定器に複数の照明灯が接続された状態を説明する図である。図９に示す照明システム１０Ａは、インバータ式安定器１１０に対して、複数の照明灯２００Ａ−１、２００Ａ−２が接続されている。
【０１１５】
照明システム１０Ａでは、照明灯２００Ａ−１、２００Ａ−２の両方が、同じ時期にインバータ式安定器１１０に接続されたものとは限られない。照明システム１０Ａでは、例えば、照明灯２００Ａ−１、２００Ａ−２の何れか一方が、他の照明システムから取り外されて、照明システム１０Ａに接続される場合や、照明灯２００Ａ−１、２００Ａ−２の何れか一方が新品である場合等がありえる。
【０１１６】
このような場合には、照明システム１０Ａに電源がオンされると、複数の照明灯２００Ａに同時に電源が投入され、照明灯２００Ａ−１、２００Ａ−２のうち、一方はキャリブレーションを実施し、他方はキャリブレーション情報２５１に従って点灯制御を行う、といった状況が起こりえる。
【０１１７】
この場合、キャリブレーションを行い、その結果に基づき点灯制御が行われる照明灯２００Ａと、キャリブレーション情報２５１に従って点灯制御が行われる照明灯２００Ａと、では、点灯のタイミング等が同期せず、動作が不一致しない可能性がある。
【０１１８】
本実施形態では、この点に着目し、複数の照明灯２００Ａに対して同じタイミングで電源がオン（投入）された場合に、複数の照明灯２００Ａにおける動作を一致させる。より具体的には、本実施形態では、照明灯２００Ａにおいて、キャリブレーションを含む点灯制御と、キャリブレーション情報２５１を参照した点灯制御と、において、パルス信号のデューティ比が目標値となるまでの動作を同期させる。
【０１１９】
図１０は、第三の実施形態の制御装置の機能を説明する図である。本実施形態の照明灯２００Ａは、制御装置２６０Ｂを有する。
【０１２０】
また、本実施形態の制御装置２６０Ｂは、不揮発記憶部２５０Ｂに対して、情報の読み出しと書き込みを行う。
【０１２１】
本実施形態の不揮発記憶部２５０Ｂは、キャリブレーション情報２５１と、同期用データ２５４と、が格納されている。
【０１２２】
同期用データ２５４は、キャリブレーションにおけるデューティ比の変動幅と、キャリブレーション情報２５１を用いた点灯におけるデューティ比の変動幅とを同期させるためのデータである。
【０１２３】
例えば、本実施形態のＰＷＭ制御部２８３Ａが、キャリブレーションを実施する際に、パルス信号のオフデューティを最大とした状態から開始し、オフデューティを５％ずつ減少させていくものとする。
【０１２４】
この場合において、キャリブレーション情報２５１として格納された目標値が、デューティ比の目標値であったとき、ＰＷＭ制御部２８３Ａは、同期用データ２５４を参照し、デューティ比が目標値となるように制御する。
【０１２５】
また、この場合において、キャリブレーション情報２５１として格納された目標値が、電圧変換部２４０の出力電圧ＶＢの目標値であったとき、ＰＷＭ制御部２８３Ａは、同期用データ２５４を参照し、出力電圧ＶＢが目標値となるように制御する。
【０１２６】
本実施形態の制御装置２６０Ｂは、点灯制御処理部２８０Ｂを有する。本実施形態の点灯制御処理部２８０Ｂは、読出部２８１、キャリブレーション判定部２８２、ＰＷＭ制御部２８３Ａ、点灯条件格納部２８４、定電流制御判定部２８５、電流検出部２８６、電圧検出部２８７、目標値判定部２８９を有する。
【０１２７】
本実施形態のＰＷＭ制御部２８３Ａは、デューティ同期部２９１と、電圧同期部２９２と、を有する。
【０１２８】
デューティ同期部２９１は、同期用データ２５４を参照し、パルス信号のデューティ比の変化のさせ方を、キャリブレーションの際のデューティ比の変化のさせ方と同期させる。
【０１２９】
電圧同期部２９２は、同期用データ２５４を参照し、出力電圧ＶＢを目標値に近づけるためのパルス信号のデューティ比の変化のさせ方を、キャリブレーションの際のデューティ比の変化のさせ方と同期させる。
【０１３０】
本実施形態の目標値判定部２８９は、不揮発記憶部２５０Ｂにキャリブレーション情報２５１として格納された目標値が、デューティ比の目標値であるか、又は、電圧変換部２４０の出力電圧ＶＢの目標値であるか否かを判定する。
【０１３１】
次に、図１１を参照して、本実施形態の制御装置２６０Ｂの有する点灯制御処理部２８０Ｂの動作について説明する。図１１は、第三の実施形態の点灯制御処理部の動作を説明するフローチャートである。
【０１３２】
図１１のステップＳ１１０１からステップＳ１１０３までの処理は、ステップＳ１１０２でＹｅｓの場合と、ステップＳ１１０３でＮｏの場合に進むステップが、ステップＳ１１１０である以外は、図６のステップＳ６０１とステップＳ６０２と同様であるから、説明を省略する。
【０１３３】
ステップＳ１１０３において、定電流制御が不可能と判定された場合、点灯制御処理部２８０Ｂは、目標値判定部２８９により、キャリブレーション情報２５１として不揮発記憶部２５０Ｂに格納された目標値が、デューティ比の目標値であるか、又は、電圧変換部２４０の出力電圧ＶＢの目標値であるか否かを判定する（ステップＳ１１０４）。
【０１３４】
ステップＳ１１０４において、目標値が出力電圧ＶＢの目標値である場合、点灯制御処理部２８０Ｂは、後述するステップＳ１１０８へ進む。
【０１３５】
ステップＳ１１０４において、目標値がデューティ比の目標値である場合、ＰＷＭ制御部２８３Ａは、デューティ同期部２９１により、同期用データ２５４を参照し、デューティ比を変更する（ステップＳ１１０５）。このとき、デューティ同期部２９１は、パルス信号のデューティ比の変化を、キャリブレーションにおけるデューティ比の変化と一致させる。
【０１３６】
続いて、デューティ同期部２９１は、デューティ比が目標値となったか否かを判定する（ステップＳ１１０６）。ステップＳ１１０６において、目標値となっていない場合、ＰＷＭ制御部２８３Ａは、ステップＳ１１０５へ戻る。
【０１３７】
ステップＳ１１０６において、目標値となった場合、ＰＷＭ制御部２８３Ａは、目標値を維持するように、照明灯２００Ａを点灯させる（ステップＳ１１０７）。続いて、点灯制御処理部２８０Ｂは、照明灯２００Ａに対する電源オフの指示を受け付けたか否かを判定する（ステップＳ１１０８）。ステップＳ１１０８において、電源オフの指示を受け付けない場合、点灯制御処理部２８０Ｂは、電源オフの指示を受け付けるまで待機する。
【０１３８】
ステップＳ１１０８において、電源オフの指示を受け付けた場合、点灯制御処理部２８０Ｂは、照明灯２００Ａを消灯し、処理を終了する。
【０１３９】
ステップＳ１１０４において、目標値が出力電圧ＶＢの目標値である場合、ＰＷＭ制御部２８３Ａは、電圧同期部２９２により、同期用データ２５４を参照し、出力電圧ＶＢを変更させるように、パルス信号のデューティ比を変更する（ステップＳ１１０９）。このとき、電圧同期部２９２は、パルス信号のデューティ比の変化を、キャリブレーションにおけるデューティ比の変化と一致させる。
【０１４０】
続いて、電圧同期部２９２は、出力電圧ＶＢが目標値となったか否かを判定する（ステップＳ１１１０）。ステップＳ１１１０において、出力電圧ＶＢが目標値となっていない場合、電圧同期部２９２は、ステップＳ１１０９へ戻る。
【０１４１】
ステップＳ１１１０において、出力電圧ＶＢが目標値となった場合、ＰＷＭ制御部２８３Ａは、ステップＳ１１０７へ進む。
【０１４２】
ステップＳ１１０２においてキャリブレーション済みであった場合、及び、ステップＳ１１０３において、定電流制御が可能であった場合、点灯制御処理部２８０Ｂは、ステップＳ１１１１へ進む。
【０１４３】
ステップＳ１１１１とステップＳ１１１２の処理は、図６のステップＳ６０６とステップＳ６０７と同様であるから、説明を省略する。
【０１４４】
以上のように、本実施形態によれば、キャリブレーションにおけるデューティ比の制御と、キャリブレーション情報２５１を用いて照明灯２００Ａを点灯させる際のデューティ比の制御とを同期させる。
【０１４５】
したがって、本実施形態によれば、例えば、複数の照明灯２００Ａのうち、一方ではキャリブレーションが実施され、他方ではキャリブレーション情報２５１が参照される場合に、両者が目標値による制御となるタイミングを同期させることができる。つまり、本実施形態によれば、複数の照明灯２００Ａのそれぞれの状態が異なる場合でも、両者を同じタイミングで適正に点灯させることができる。
【０１４６】
尚、第三の実施形態は、第二の実施形態と組み合わせることができる。この場合、図８のステップＳ８０３の処理において、図１１のステップＳ１１０４からステップＳ１１０９のまでの処理を行えば良い。
【０１４７】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１４８】
１０、１０Ａ  照明システム
１００  灯具
１１０  インバータ式安定器
２００、２００Ａ  照明灯
２１０  発光ダイオードアレイ
２２０、２２０Ａ  駆動回路
２３０  整流平滑化部
２４０  電圧変換部
２５０、２５０Ａ、２５０Ｂ  不揮発記憶部
２５１  キャリブレーション情報
２５２  電流値データ
２５３  電圧値データ
２５４  同期用データ
２６０、２６０Ａ、２６０Ｂ  制御装置
２８０、２８０Ａ、２８０Ｂ  点灯制御処理部
２８２  キャリブレーション判定部
２８３、２８３Ａ  ＰＷＭ制御部
２８４  点灯条件格納部
２８５  定電流制御判定部
２８６  電流検出部
２８７  電圧検出部
２８８  差分判定部
２８９  目標値判定部
２９１  デューティ同期部
２９２  電圧同期部
【先行技術文献】
【特許文献】
【０１４９】
【特許文献１】特開２０１２−１３４１５３号公報
【特許文献２】特開２０１５−２０４１４４号公報
【図１】
2018147633.tif 000003
【図２】
2018147633.tif 000004
【図３】
2018147633.tif 000005
【図４】
2018147633.tif 000006
【図５】
2018147633.tif 000007
【図６】
2018147633.tif 000008
【図７】
2018147633.tif 000009
【図８】
2018147633.tif 000010
【図９】
2018147633.tif 000011
【図１０】
2018147633.tif 000012
【図１１】
2018147633.tif 000013